(57)【要約】【課題】  放送を受信できないときにユーザーにデータ放送の提示が行えるディジタル放送受信装置を提供する。【解決手段】  ＣＰＵ１１は、データ放送を受信しているときに、そのコンテンツをＮＶＲＡＭ８に記録させるための処理を行う。ＣＰＵ１１は、チャンネル１のデータ放送を受信していたのであれば、そのコンテンツをＮＶＲＡＭ８のチャンネル１用の領域に格納する。放送を受信できないとき、ＣＰＵ１１は、ＮＶＲＡＭ８からデータ放送コンテンツを読み出して提示する。すなわち、放送を受信できないために番組の映像及び音声の表示は行えないが、過去に記録しておいたデータ放送コンテンツが自動的に画面に表示されることになる。【選択図】        図１
2006332958.tif 000002
【特許請求の範囲】
【請求項１】
ディジタル放送の受信により得たデータ放送のコンテンツを解釈して表示することができるディジタル放送受信装置において、データ放送のコンテンツをキャッシュするメモリとは別に設けられた書き換え可能な不揮発性記録媒体と、前記不揮発性記録媒体に前記データ放送のコンテンツを書き込む書込手段と、前記不揮発性記録媒体から読み出した前記コンテンツを解釈して表示する手段と、を備え、放送を受信できない場合に前記不揮発性記録媒体から前記データ放送のコンテンツを読み出してデータ放送画面を表示するように構成されたことを特徴とするディジタル放送受信装置。
【請求項２】
請求項１に記載のディジタル放送受信装置において、前記データ放送のコンテンツを各チャンネルごとに前記不揮発性記録媒体に記録することを特徴とするディジタル放送受信装置。
【請求項３】
ディジタル放送の受信により得たデータ放送のコンテンツを解釈して表示することができるディジタル放送受信装置において、データ放送のコンテンツをキャッシュするメモリとは別に設けられた書き換え可能な不揮発性記録媒体と、前記不揮発性記録媒体に前記データ放送のコンテンツを書き込む書込手段と、前記不揮発性記録媒体から読み出した前記コンテンツを解釈して表示する手段と、前記データ放送のコンテンツの記録リストを作成して前記不揮発性記録媒体に記録する手段と、を備え、放送を受信できない場合に前記不揮発性記録媒体から前記記録リストを読み出して画面に表示し、ユーザーによって選択されたリストのデータ放送のコンテンツを読み出してデータ放送画面を表示するように構成されたことを特徴とするディジタル放送受信装置。
【請求項４】
請求項１乃至請求項３のいずれかに記載のディジタル放送受信装置において、ネットワーク接続機能を備えるとともに、前記不揮発性記録媒体から読み出されて表示されたデータ放送のコンテンツ上の所定の情報に対する操作が行われたときに、前記ネットワーク接続機能によってネットワーク上のサイトに接続するように構成されたことを特徴とするディジタル放送受信装置。
【発明の詳細な説明】
【技術分野】
【０００１】
本発明は、データ放送を受信できるディジタル放送受信装置に関する。
【背景技術】
【０００２】
衛星（ＣＳ，ＢＳ）や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
かかるディジタル放送においては、番組の映像音声の放送の他にデータ放送が行われる。データ放送を受信する受信機では、選局処理の後、キャッシュメモリにデータ放送データ（コンテンツ）を蓄積すると共にデータ放送データに基づいて画像を表示する。
【０００４】
データ放送に関連する従来技術としては、データ放送を記録することで後でデータ放送を視聴できるものがある（特許文献１参照）。
【特許文献１】特開２００２−４４５４７号公報
【発明の開示】
【発明が解決しようとする課題】
【０００５】
上記公報の従来技術では、蓄積したデータ放送のデータ（コンテンツ）を見ようとするユーザーの意志に基づくユーザー操作が必要である。例えば、受信不能状態になって画面に何も表示されないときに、それならば過去に蓄積しておいたデータ放送でも再生して見ようかなとの意志が働けばよいのであるが、そのような意志が働かない場合（データ放送データを蓄積していることを失念している場合）、放送視聴を諦めてしまうことが考えられる。
【０００６】
この発明は、上記の事情に鑑み、放送を受信できないときにユーザーにデータ放送の提示が行えるディジタル放送受信装置を提供することを目的とする。
【課題を解決するための手段】
【０００７】
この発明のディジタル放送受信装置は、上記の課題を解決するために、ディジタル放送の受信により得たデータ放送のコンテンツを解釈して表示することができるディジタル放送受信装置において、データ放送のコンテンツをキャッシュするメモリとは別に設けられた書き換え可能な不揮発性記録媒体と、前記不揮発性記録媒体に前記データ放送のコンテンツを書き込む書込手段と、前記不揮発性記録媒体から読み出した前記コンテンツを解釈して表示する手段を備え、放送を受信できない場合に前記不揮発性記録媒体から前記データ放送のコンテンツを読み出してデータ放送画面を表示するように構成されたことを特徴とする。
【０００８】
上記の構成であれば、放送を受信できないときにユーザーにデータ放送の提示が行える。すなわち、データ放送データを蓄積していることを失念しているような場合でも、データ放送を視聴できることになる。
【０００９】
上記構成のディジタル放送受信装置において、前記データ放送のコンテンツを各チャンネルごとに前記不揮発性記録媒体に記録するのがよい。一つの領域にあらゆるチャンネルのコンテンツを格納するとした場合、或るチャンネルのコンテンツばかりが格納されてしまうといったことが生じるが、チャンネルごとに記録領域を用意しておくことで、各チャンネルのデータ放送コンテンツを保持できることになる。
【００１０】
また、この発明のディジタル放送受信装置は、ディジタル放送の受信により得たデータ放送のコンテンツを解釈して表示することができるディジタル放送受信装置において、データ放送のコンテンツをキャッシュするメモリとは別に設けられた書き換え可能な不揮発性記録媒体と、前記不揮発性記録媒体に前記データ放送のコンテンツを書き込む書込手段と、前記不揮発性記録媒体から読み出した前記コンテンツを解釈して表示する手段と、前記データ放送のコンテンツの記録リストを作成して前記不揮発性記録媒体に記録する手段を備え、放送を受信できない場合に前記不揮発性記録媒体から前記記録リストを読み出して画面に表示し、ユーザーによって選択されたリストのデータ放送のコンテンツを読み出してデータ放送画面を表示するように構成されたことを特徴とする。
【００１１】
上記の構成においても、放送を受信できない場合であってもユーザーにデータ放送の提示が行える。すなわち、データ放送データを蓄積していることを失念しているような場合でも、データ放送のコンテンツの記録リストが提示されるので、このリストから選択したリストについてデータ放送を視聴できることになる。
【００１２】
これら構成のディジタル放送受信装置において、ネットワーク接続機能を備えるとともに、前記不揮発性記録媒体から読み出されて表示されたデータ放送のコンテンツ上の所定の情報に対する操作が行われたときに、前記ネットワーク接続機能によってネットワーク上のサイトに接続するように構成されるのがよい。
【発明の効果】
【００１３】
この発明によれば、放送を受信できないときにユーザーにデータ放送の提示が行えるという効果を奏する。
【発明を実施するための最良の形態】
【００１４】
以下、この発明の実施形態のディジタル放送受信装置を図１乃至図３に基づいて説明する。なお、この実施形態のディジタル放送受信装置は携帯型（例えば、携帯電話機能を備える携帯型装置）或いは車載型として構成されるが、これに限るものではない。
【００１５】
チューナ１は、受信した高周波ディジタル変調信号のうちから特定周波数の信号を取り出す。また、チューナは、復調回路、逆インタリーブ回路、誤り訂正回路などを備えることにより、選択したディジタル変調信号を復調してトランスポートストリームを出力する。
【００１６】
デマルチプレクサ（ＤＥＭＵＸ）２は、チューナから受け取ったトランスポートストリームを、例えばＭＰＥＧ２（Ｍｏｖｉｎｇ  Ｐｉｃｔｕｒｅ  Ｅｘｐｅｒｔｓ  Ｇｒｏｕｐ２）のビデオストリームやオーディオストリームなどのストリームと、セクションデータとに分離する。更に前記セクションデータをＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）とデータカルーセルとに分離する。
【００１７】
音声デコーダ３は、デマルチプレクサ２から出力された符号化信号を復号し更にＤ／Ａ変換して音声信号を生成し、この音声信号を図示しない音声出力部（スピーカ等）に供給する。映像デコーダ４は、入力された符号化信号を復号して量子化係数や動きベクトルを求め、逆ＤＣＴ変換や動きベクトルに基づく動き補償制御などを行って映像データを生成し、この映像データを描画処理部５に供給する。描画処理部５は画像の大きさや解像度などを調整したり、ブラウザから供給される映像と受信映像との合成などを行う。描画処理部５が出力する映像信号によってモニタ６（図２参照））に映像（例えば、テレビ映像とデータ放送映像）が表示される。
【００１８】
Ｉ／Ｏ回路７には図示してい操作ボタンなどが接続される。通信Ｉ／Ｆ１２には図示しない電話機能部（携帯機器として構成されるのであれば携帯電話機能部）やＬＡＮ機能部（携帯機器として構成されるのであれば無線ＬＡＮ機能部）などが接続される。ＲＯＭ９にはＣＰＵ１１の動作プログラムなどが格納される。
【００１９】
ここで、ＣＰＵ１１は、ＰＳＩ／ＳＩ処理部、データカルーセル受信処理部、データ放送のコンテンツの記録処理部、及びＢＭＬブラウザの処理を担う。また、この実施形態では、ＲＡＭ１０はＣＰＵ１１の各種プログラムの展開用に用いられる他、データ放送コンテンツのキャッシュメモリとして機能する。また、不揮発性記録媒体であるＮＶＲＡＭ８には、ＳＩの加工情報等の他、データ放送データ（コンテンツ）が蓄積される。
【００２０】
ＰＳＩ／ＳＩ処理部としてのＣＰＵ１１は、ＰＳＩ／ＳＩを入力し、ＥＰＧ（Ｅｌｅｃｔｒｏｎｉｃ  Ｐｒｏｇｒａｍ  Ｇｕｉｄｅ）等に利用できるように加工する。データカルーセル受信処理部としてのＣＰＵ１１は、前記分離されたデータカルーセルを処理してデータ放送コンテンツを取得し、キャッシュメモリとしてのＲＡＭ１０に供給する。コンテンツの記録処理部としてのＣＰＵ１１は、データ放送コンテンツをＮＶＲＡＭ８に記録する処理及びＮＶＲＡＭ８からデータ放送コンテンツを読み出す処理を行う。キャッシュメモリとしてのＲＡＭ１０は、データ放送コンテンツが一時的に記憶される。
【００２１】
ＢＭＬブラウザは、データ放送の表示に際して起動される。データ放送においては、最初にエントリーコンポーネントに入れられているスタートアップモジュール（moduleＩＤ＝０）の取得が試みられ、得られたスタートアップ文書に基づいて画面作成が行われる。そして、ユーザがスタートアップ画面上の各種ボタン（「天気予報」「ニュース」等）を操作することで下位階層の表示が実行される。
【００２２】
また、ＢＭＬブラウザは表示すべき文書（データ）をキャッシュメモリであるＲＡＭ１０から取り出す。表示すべき文書（データ）がＲＡＭ１０に無ければ、データカルーセル受信処理部がトランスポートストリームから取り出す。なお、データカルーセル受信処理部はＤＳＭ−ＣＣ（digital storage media command and control ）方式で送られてくるデータを取り出す。
【００２３】
なお、ＢＭＬ文書中において、データカルーセル方式で伝送される各々のモジュールは、一意に識別するために、次の名前空間が用いられる。arib-dc://<original ＿network ＿id>.<transport＿stream＿ id>.<service ＿ id>[;content ＿ id>][.<event ＿ id>]/<component＿ tag>/<moduleName>[/<resourceName>] 
【００２４】
前記original＿network ＿idは、ネットワークに固有の識別子であり、地上、ＢＳ、ＣＳを識別する。transport ＿stream＿ id は、ＴＳに対し割り当てられる。地上ディジタル放送では、network ＿id値と同一値で運用される。service ＿ id は、ネットワーク内で個々のサービスを識別するための識別子である。component ＿ tagは、天気予報、ニュースなどのコンテンツの基点であり、このタグ以降にデータが格納されている。moduleName以下に、コンテンツを構成する部品、配列、画像データなどが格納される。
【００２５】
ＣＰＵ１１は、このディジタル放送受信装置における全体制御を行うものであるが、特にこの発明にかかる制御として、先にも少し述べたが、データ放送コンテンツの記録処理及びその提示処理を行う。すなわち、ＣＰＵ１１は、データ放送を受信して表示しているときに、そのコンテンツをＮＶＲＡＭ８に記録させるための処理を行う。ここで、図２に示しているように、ＮＶＲＡＭ８には、チャンネル毎のコンテンツ格納領域が確保されている。従って、ＣＰＵ１１は、例えば、チャンネル１のデータ放送を受信しているのであれば、そのコンテンツをＮＶＲＡＭ８のチャンネル１用の領域に格納する。
【００２６】
データ放送コンテンツは、先にも述べたが、ＡＲＩＢ  ＳＴＤ−Ｂ２４で規定されるＤＳＭ−ＣＣデータカルーセル方式によって伝送され、映像・音声などのストリーム型の伝送方式とは異なり、同一データを一定期間繰り返し送ることにより、受信機が任意のタイミングでデータを取得することを可能にしている。ここで、繰り返し伝送されるデータの集合をデータカルーセルと呼び、各々のデータをモジュールと呼ぶ。データカルーセルは、ＤＩＩ（Ｄｏｗｎｌｏａｄ Ｉｎｆｏ Ｉｎｄｉｃａｔｉｏｎ）及び、ＤＤＢ（Ｄｏｗｎｌｏａｄ Ｄａｔｅ Ｂｌｏｃｋ）等を含む。
【００２７】
また、通常の放送におけるチャンネルに相当するものはサービスと呼ばれ、各サービスは複数のコンポーネントを含み、各コンポーネントは複数のモジュールを含んで構成される。各サービスはサービス識別（ｓｅｒｖｉｃｅ＿ｉｄ）によって一意に識別され、各コンポーネントは、サービス内において、コンポーネント識別（ｃｏｍｐｏｎｅｎｔ＿ｔａｇ）によって一意に識別され、各モジュールは、コンポーネント内において、モジュール識別（ｍｏｄｕｌｅ＿ｉｄ）によって一意に識別される（すなわち、モジュールはｓｅｒｖｉｃｅ＿ｉｄ／ｃｏｍｐｏｎｅｎｔ＿ｔａｇ／ｍｏｄｕｌｅ＿ｉｄによって一意に識別される）。
【００２８】
前述したＣＰＵ１１によるコンテンツ記録処理を幾分詳しく述べる。データカルーセル受信処理部としてのＣＰＵ１１で処理されたデータ放送コンテンツデータは、キャッシュメモリとしてのＲＡＭ１０に書き込まれるとともに、ＮＶＲＡＭ８にも書き込まれる。一方、データ放送コンテンツの再生を行う場合、ＮＶＲＡＭ８から読み出されたデータ放送コンテンツは、キャッシュメモリとしてのＲＡＭ１０に展開され、ＢＭＬブラウザによって解釈・処理されて提示される。
【００２９】
ここで、前記コンポーネントは、先にも述べたが、ＤＩＩと呼ばれるディレクトリ情報と、データの実体となる複数のモジュールを伝送する。これらのデータは繰り返し伝送される。データ放送の提示に必要とされるモジュールは、受信装置内のキャッシュメモリとしてのＲＡＭ１０に格納され、不要となったモジュールはＲＡＭ１０から削除される。
【００３０】
ＤＩＩは、データカルーセルに含まれるモジュールの総数が変化した場合や、少なくとも１つのモジュールが更新された場合、およびローカルコンテンツが切り替わった場合に更新される。ＤＩＩのバージョンを識別するために、ＤＩＩはトランザクション識別（ｔｒａｎｓａｃｔｉｏｎ＿ｉｄ）を含み、ＤＩＩの内容に変化があった場合は、ｔｒａｎｓａｃｔｉｏｎ＿ｉｄが更新される。また、モジュールのバージョンが変化した場合は、それ以前に伝送されていたモジュールは不要となり、新バージョンのモジュールを受信することとなる。また、ＤＩＩは、データイベント識別（ｄａｔａ＿ｅｖｅｎｔ＿ｉｄ）を含む。
【００３１】
データカルーセルで伝送されるコンテンツは時間的に更新されることがある。この或る一定時間で伝送される意味の有るひとかたまりのコンテンツをローカルコンテンツと呼ぶ。ローカルコンテンツが切り替わった場合、切り替え前に伝送されていた全てのモジュールは不要となる。データイベント識別（ｄａｔａ＿ｅｖｅｎｔ＿ｉｄ）はローカルコンテンツを識別し、ローカルコンテンツが切り替わる際に更新される。
【００３２】
以上のメカニズムにより、受信装置はＤＩＩを監視することにより、どのモジュールが現在伝送されているかを知るとともに、モジュールの更新を認識することができるため、受信装置内のＲＡＭ１０及びＮＶＲＡＭ８のコンテンツ内容を常に最新の状態にしておくことができる。なお、前述した意味の有るひとかたまりのコンテンツ（ローカルコンテンツ）が得られた時点でＮＶＲＡＭ８への書き込みを実行することとしている。
【００３３】
データ放送の受信を終了してもＣＰＵ１１はＮＶＲＡＭ８に格納されたコンテンツは消去しない。データ放送の受信チャンネルを変更したときにも、ＣＰＵ１１は変更前のチャンネルについてのＮＶＲＡＭ８に格納されたコンテンツは消去せず、変更後のチャンネルについてのコンテンツをそのチャンネル用のＮＶＲＡＭ８の領域に格納する。或るチャンネル用の記録領域が一杯になったときには、古いコンテンツを削除し、空いた領域に新コンテンツを格納する。仮に、チャンネル毎とはせずに一つの領域にあらゆるチャンネルのコンテンツを格納するとした場合、或るチャンネルのコンテンツばかりが格納されてしまうといったことが生じるが、チャンネルごとに記録領域を用意しておくことで、各チャンネルのデータ放送コンテンツを保持できることになる。なお、ＮＶＲＡＭ８にデータ放送の受信履歴（格納リスト）を格納してもよい。この受信履歴は、ＮＶＲＡＭ８に蓄積しているデータ放送コンテンツの情報（格納日時、データ放送名等）をチャンネルごとに記録しておけばよい。また、ＮＶＲＡＭ８から古いコンテンツを削除するとき、その受信履歴（格納リスト）も消去する。
【００３４】
データ放送コンテンツのＮＶＲＡＭ８への格納は、データ放送の受信表示時に行うことに限るものではない。ユーザーによる視聴がないときに、例えば、チャンネサーチを実行し（画面への映像提示は不要である）、このチャンネサーチでデータ放送コンテンツが取得できたときにこれを記録することとしてもよい。また、このようなデータ放送コンテンツの取得（上記チャンネルサーチ等も含む）を定期的に実行することとしてもよい。
【００３５】
次に、ＮＶＲＡＭ８に記録したデータ放送コンテンツの提示について図３のフローチャートに従って説明していく。なお、このフローチャートにはデータ放送コンテンツの保存処理も示されている。ディジタル放送の受信を開始したとき、ディジタル放送の電波を正常に受信できているかどうかを判断する（ステップＳ１）。この判断は、ＣＰＵ１１が、例えば、受信電波の電界強度、Ｃ／Ｎ比、エラーレートなどの情報をチューナ１から得て行う。電波を正常に受信できていると判断したときには、デコード処理を行う（ステップＳ２）。そして、データ放送が有るかどうかを判断する（ステップＳ３）。データ放送が有る場合にはデータ放送のコンテンツを保存し（ステップＳ４）、番組の音声及び映像とともにデータ放送のコンテンツを画面に表示する（ステップＳ５）。一方、データ放送が無い場合には、番組の映像及び音声だけを画面に表示する（ステップＳ６）。
【００３６】
そして、前記ステップＳ１において電波が正常に受信できないと判断されたときには、データ放送の受信履歴が有るか否かを判断する（ステップＳ７）、データ放送の受信履歴（格納リスト）が有る場合は、ＮＶＲＡＭ８からデータ放送コンテンツを読み出して提示する。すなわち、この場合には、放送を受信できないために番組の映像及び音声の表示は行えないが、過去に記録しておいたデータ放送コンテンツが自動的に画面に表示されることになる（ステップＳ８）。データ放送の受信履歴が無ければ、例外処理（例えば、「受信できません」といったメッセージ表示処理等）を実行する（ステップＳ９）。なお、ステップＳ７では、受信しようとしているチャンネルと同じチャンネルのデータ放送受信履歴が無い場合には履歴無しとしている。
【００３７】
データ放送コンテンツ内には、情報資源の所在地を特定する情報（ＵＲＬ等）が埋め込まれている場合がある。ディジタル放送受信装置が電話機能によって通信を実行するように構成されている場合、前記ＵＲＬによってネットワーク上の資源に接続し、この資源を受信して画面に提示することができる。
【００３８】
上記の例では、放送を受信できないときに過去に記録しておいたデータ放送コンテンツを自動的に画面に表示させることとしたが、放送を受信できないときにデータ放送の受信履歴（格納リスト）を先ず画面表示することとしてもよい。この履歴は、受信しようとしているチャンネルと同じチャンネルのデータ放送受信履歴であるとする。例えば、チャンネル１について「データ放送Ａ」と「データ放送Ｂ」が履歴（リスト）として存在している場合、ユーザーは例えばカーソル（ハイライト）の移動と決定ボタンの押下によってどちらかを選択することができる。例えば、ユーザーが「データ放送Ｂ」を選択した場合、データ放送ＢのコンテンツがＮＶＲＡＭ８から読み出されて画面に提示されることになる。
【００３９】
なお、上記の例では、受信しようとしているチャンネルと同じチャンネルのデータ放送をユーザーに提示することとしたが、これに限るものではない。
【００４０】
また、このような過去に記録しておいたデータ放送コンテンツを提示するときには、その取得日時を表示したり、「過去のデータです」といったメッセージを表示するなど、過去に記録しておいたデータ放送コンテンツが提示されていることをユーザーに通知するのがよい。
【図面の簡単な説明】
【００４１】
【図１】この発明の実施形態のディジタル放送受信装置を示すブロック図である。
【図２】データ放送コンテンツの蓄積及び提示の概要を示した説明図である。
【図３】処理内容を示したフローチャートである。
【符号の説明】
【００４２】
１    チューナ
２    デマルチプレクサ
８    ＮＶＲＡＭ
１０  ＲＡＭ
１１  ＣＰＵ
【図１】
2006332958.tif 000003
【図２】
2006332958.tif 000004
【図３】
2006332958.tif 000005